(57)【特許請求の範囲】
【請求項１】
扁平な平面に真空吸着方式で付着されるように、上部側に回転可能に設置される蓋と、上記蓋の下部に結合されて、扁平な平面に真空吸着される吸着板と、上記蓋と吸着板との間に設置されて、蓋の回転によって上記吸着板を往復移動させる高さ調節部材とが具備された真空吸着器において、上記蓋の内側の上面には複数の固定片が形成され、上記高さ調節部材の内側には上記各固定片が接触された状態で摺動可能にするとともに、上記蓋の逆回転を防止するために上記各固定片が端部側に掛けられて蓋を固定するように所定の弾性力を有する複数の弾性係止片が結合されることを特徴とする真空吸着器。
【請求項２】
蓋の各固定片は「Ｖ」字状に形成され、上記各固定片の屈曲した外面はラウンド状に形成されることを特徴とする請求項１に記載の真空吸着器。
【請求項３】
各弾性係止片は高さ調節部材の内側に結合され、蓋の各固定片は各弾性係止片と接触された状態で摺動する時、各固定片が各弾性係止片の端部側に当接して蓋を固定するようにすることを特徴とする請求項１に記載の真空吸着器。
【請求項４】
蓋は、上記蓋の上部側にホルダーの一側が挿入される挿入孔が形成され、上記挿入孔の外側位置にある上記蓋の内面には挿入孔側に屈曲したフックを有する複数の回転突部が放射状に突出して形成され、上記蓋の内周面に複数の係止突部が突出して形成され、上記蓋の内側上面に複数の固定片が形成されることを特徴とする請求項１に記載の真空吸着器。
【請求項５】
高さ調節部材は、上記高さ調節部材の底部に複数の結合孔を有する底板が形成され、上記底板の外側の上面には側板が形成され、上記側板は蓋が所定範囲内のみで回転されるように、上記蓋の各係止突部と接触されるように突出して形成される複数のストッパと、上記各ストッパの間にそれぞれ形成されて、各係止突部の底面が接触及びスライドされながら移動するように所定角度に傾斜された傾斜面と、上記各傾斜面の一端に形成されて、各係止突部が固定される固定溝部とからなることを特徴とする請求項１に記載の真空吸着器。
【請求項６】
吸着板は、上記吸着板が蓋の下部に結合されるようにするために、吸着板の中央部の上面にはホルダーの一側が挿入結合される結合溝を有する中心軸が形成され、上記中心軸の外周面には各回転突部のフックが挿入固定される係止溝部が形成され、上記吸着板には高さ調節部材の各結合孔に挿入結合される複数の結合突起が形成されることを特徴とする請求項４に記載の真空吸着器。
【発明の詳細な説明】
【技術分野】
【０００１】
本発明は手拭きやタオル及びペーパーなどを掛けて置くことができるホルダーを有する真空吸着器に関し、より詳しくは、真空吸着器を扁平な平面に真空吸着方式でより堅固に長期間付着するように、上記真空吸着器の吸着力を向上するとともに、上記真空吸着器の各構成の間の組立性が向上されるようにした真空吸着器に関する。
【背景技術】
【０００２】
一般に、真空吸着器は硝子やタイルなどのような扁平な平面に手拭きやタオル及びペーパーなどの多様な形態の物を吊り下げたり、掛けて置くために、真空吸着方式で付着される部材である。
【０００３】
上記真空吸着器はホルダーと吸着板とからなり、上記ホルダーは手拭きやタオル及びペーパーを吊り下げたり、掛けて置くことができ、上記吸着板は硝子、タイルなどのような滑らかな表面または扁平な平面に真空吸着方式で付着される。
【０００４】
言い替えれば、上記真空吸着器の吸着板を滑らかな面や扁平な平面、即ち、付着面に接触させた状態で、上記真空吸着器を付着面側に押せば、上記付着面と吸着板との間の空間にある空気が吸着板の外部に抜けながら、上記付着面と吸着板との間は真空状態になって、上記付着面に吸着板が吸着されることによって、上記真空吸着器は固定設置される。
【０００５】
上記で、付着面に真空吸着器を付着する設置方式は多様である。即ち、上記真空吸着器の吸着板を直接付着面側に押して、上記吸着板を付着面に付着するか、または上記真空吸着器に吸着状態を保持させるために、別途の部材を具備して吸着板を付着面に付着する方式などがある。
【０００６】
ここで、上記吸着板を付着面側に押して直接付着する真空吸着器は、上記吸着板と付着面との間を密閉させることが非常に困難であり、また付着面と吸着板との間の吸着力も弱い。従って、上記付着面から吸着板が落ち易いなど上記真空吸着器を長期間設置することが容易でないで、上記落ちた真空吸着器を繰り返して付着面に付着しなければならないなど上記真空吸着器を使うのに諸問題があった。
【０００７】
そして、別途の部材を利用して吸着板を付着面に付着する真空吸着器は、本出願人が出願して登録された登録実用新案第０４２０９６４号によれば、上記真空吸着器は蓋と、高さ調節部材と、吸着板と、スプリングとで構成されており、上記蓋を回転(時計回り)させると、スプリングが巻かれ、同時に、上記蓋の内部に形成された高さ調節突起が高さ調節部材の高さ調節傾斜面に沿って移動すると、上記蓋は傾斜面の段差だけ上げられるようになり、この時、上記高さ調節部材が高さ調節突起固定溝に挿入されれば、上記スプリングは巻かれた状態を持続的に保持するようになる。
【０００８】
従って、上記吸着板の中央部は持ち上げられるとともに、上記吸着板の外周面は付着面に密着されることによって、上記付着面と吸着板との間は真空状態になって、上記吸着板は付着面に付着される。 
【０００９】
ここで、上記スプリングは、真空吸着させる時、常に最初地点から始まって最大の真空吸着力を発生する役割を果たし、スプリングの解除を防止するために、高さ調節突起固定溝に高さ調節突起が固定されるようになっている。 
【００１０】
そして、上記蓋を回転(反時計回り)させて、高さ調節突起を高さ調節突起固定溝から脱去させるとともに、上記最初地点である原位置に復元されようとするスプリングの弾性復元力によって上記スプリングが解除されるようになり、上記付着面と吸着板との間の真空状態が解除されることによって、上記付着面から吸着板が落ちるようになる。 
【００１１】
しかし、このような従来の真空吸着器は、スプリングの弾性復元力を利用して上記蓋を時計回りに回転させると、スプリングが巻かれるとともに、高さ調節部材によって吸着板付着面側に移動されて、上記吸着板の中央部が付着面から持ち上げられながら真空状態を形成して、吸着板を付着面に付着するか、または上記蓋を反時計回りに回転させて、高さ調節突起固定溝から高さ調節突起を脱去させるとともに、スプリングの弾性復元力によって最初地点である原位置に復帰しようとする力によって吸着板と付着面との間の真空状態が解除されて、上記付着面から吸着板が落ちる。 
【００１２】
このように、上記スプリングの弾性復元力を利用して付着面と吸着板との間を真空状態に形成して、上記吸着板を付着面に付着するか、または上記付着面と吸着板との間の真空状態を解除させて、付着面から吸着板が落ちるようにするスプリングを真空吸着器に組み立て及び結合する作業が非常に不便であり、作業効率性が低下されるとともに、上記スプリングの費用が相対的に高くて、製作費用が上昇するという問題点がある。 
【００１３】
また、上記スプリングは長期間使うと弾性力が低下されることから、上記真空吸着器の性能が低下されるとともに、上記真空吸着器を分解して、上記弾性力が低下されたスプリングを取り替えなければならないなど取り替え作業が非常に複雑であり、且つ、スプリングの取り替えによる取り替え費用が上昇するという問題点もあった。
【００１４】
そして、上記スプリングの弾性力が発生されるように、初めて上記真空吸着器の各構成を組み立てる時、上記スプリングが結合された蓋を数回回して置くなどの不必要な作業が追加されるなど、作業効率性が低下されるとともに、上記蓋及びスプリングの結合による作業が非常に不便であるという問題点もあった。 
【００１５】
一方、上記真空吸着器の蓋に形成された高さ調節突起が高さ調節部材の高さ調節傾斜面に沿って移動しながら、高さ調節突起固定溝に挿入されて、吸着板が付着面に付着された状態で、上記真空吸着器に外部から衝撃が加えられると、上記高さ調節突起固定溝から高さ調節突起が抜けると同時に、スプリングが原位置に復帰しようとする復元力によって、上記真空吸着器の蓋が原位置に回転されることが発生され、それによって、上記付着面と吸着板との間に形成された真空状態が解除されることによって、上記吸着板が付着面から分離されるなど、上記真空吸着器が非常に簡単に分離されるという問題点もあった。
【発明の概要】
【発明が解決しようとする課題】
【００１６】
本発明は上記のような従来技術の問題点を解決するために提案されたもので、真空吸着器の蓋の内部に複数の固定片を形成するとともに、高さ調節部材には所定屈曲面を有する弾性係止片を複数形成するようにして、上記蓋が回転することによって、各固定片が各弾性係止片の屈曲面に沿って接触された状態で移動しながら、上記弾性係止片の一面に掛けられるので、上記真空吸着器の吸着板が付着面に密着された状態でより堅固に付着されるなど、上記真空吸着器の吸着力が向上されるとともに、上記真空吸着器の各構成の間の組み立てがより簡単且つ、容易になることによって、上記各構成の間の組立性が向上するようにすることにその目的がある。
【００１７】
また本発明は、 真空吸着器の蓋に形成された各固定片が各弾性係止片の屈曲面に沿って移動して折曲面に掛かれるとともに、上記蓋の各係止突部が高さ調節部材の側板に形成された傾斜面に沿って移動して、各固定溝部内に挿入されて掛けられる二重ロック構造からなっていることで、上記真空吸着器の吸着板が付着面により堅固に付着されるとともに、外部から加えられる衝撃に対して容易に解除される現象を防止することにその目的がある。
【００１８】
また、本発明は、弾性係止片は既存スプリングの役割である最初地点である原位置に復帰させる役割と、固定片が弾性係止片の折曲面に再び固定されるようにする二つの機能を有するようにすることにその目的がある。 
【課題を解決するための手段】
【００１９】
上記のような目的を達するための本発明は、扁平な平面に真空吸着方式で付着されるように、上部側に回転可能に設置される蓋と、上記蓋の下部に結合されて、扁平な平面に真空吸着される吸着板と、上記蓋と吸着板との間に設置されて、蓋の回転によって上記吸着板を往復移動させる高さ調節部材とが具備された真空吸着器において、上記蓋の内側上面には複数の固定片が形成され、上記高さ調節部材の内側には上記各固定片が接触された状態で、摺動可能であるとともに、上記蓋の逆回転を防止するために、上記各固定片が端部側に掛けられて、蓋を固定するように所定の弾性力を有する複数の弾性係止片が結合されることを特徴とする真空吸着器が提供される。
【００２０】
また、本発明は、蓋の各固定片は「Ｖ」字状に折り曲げて形成され、上記各固定片の折り曲げられた外面はラウンド状に形成されることを特徴とする真空吸着器が提供される。
【００２１】
また、本発明は、各弾性係止片の他面には、高さ調節部材と結合されるように一つ以上の結合部が形成され、上記各弾性係止片の自由端状態である一面には、各固定片がそれぞれ掛けられて固定されるように折曲面が形成され、上記各弾性係止片の一面と他面との間には、各固定片が接触された状態でスライディングされる屈曲面が所定角度に屈曲形成されることを特徴とする真空吸着器が提供される。 
【発明の効果】
【００２２】
上記で説明したように構成される本発明によれば、真空吸着器の蓋内に複数の固定片を形成し、上記各固定片が摺動可能であるとともに、掛けられて固定されるように、高さ調節部材には所定の屈曲面を有する弾性係止片を複数形成することによって、上記蓋が回転する時、上記各弾性係止片の屈曲面に沿って各固定片が接触された状態で摺動しながら、上記各弾性係止片の一面に掛けられるとともに、上記真空吸着器の吸着板の外周面が付着面と密着され、同時に、上記吸着板の中央部が持ち上げられながら、上記付着面と吸着板との間の空間は真空になることによって、上記真空吸着器の吸着力が向上するとともに、上記真空吸着器の吸着板は付着面に堅固に付着される効果を奏する。
【００２３】
また、本発明の真空吸着器は、既存の真空吸着器に用いるスプリングを省略し、その代わりに高さ調節部材を成形する時、複数の弾性係止片を一緒に成形することによって、上記真空吸着器の部品数を減らすことができ、同時に、上記真空吸着器の各構成の間の組み立てがより簡単且つ、容易になることによって、上記真空吸着器の各構成の間の組立性及び作業効率性、生産性が向上され、さらに、上記真空吸着器を製作する製作費用を節減するなど、コスト節減効果を極大化する効果も奏する。 
【００２４】
そして、各弾性係止片は高さ調節部材に一体に成形されて製作されるとともに、外部の衝撃から蓋が保護することによって、上記各弾性係止片の損傷及び破損を防止するなど、上記真空吸着器を半永久的に使うことができる効果も奏する。
【００２５】
一方、真空吸着器の蓋に形成された各固定片が各弾性係止片の屈曲面に沿って移動して、折曲面に掛けられて固定されるとともに、上記蓋の各係止突部が高さ調節部材の側板に形成された傾斜面に沿って移動して、各固定溝部内に挿入されて掛けられる二重ロック構造からなることによって、上記真空吸着器の吸着板は付着面に堅固に吸着されることによって、上記真空吸着器は付着面に堅固に付着されるとともに、上記真空吸着器の蓋を反対方向に強制的に回転させる前には、上記二重ロック構造の各構成の間に掛かれて固定された状態は外部から加えられる衝撃にも簡単に解除される現象が防止され、且つ、上記真空吸着器が付着面から分離されることを効率的に防止する効果も奏する。
【００２６】
また、真空吸着器の蓋を人為的に逆回転させると、二重ロックが解除されながら自動的に原位置に戻す既存スプリングの役割をそのまま保持する効果も奏する。 
【図面の簡単な説明】
【００２７】
【図１】本発明の真空吸着器の構造を示した斜視図である。
【図２】本発明の真空吸着器を分離した状態で示した分離斜視図である。
【図３】本発明の真空吸着器を断面した状態で示した断面図である。
【図４】本発明の真空吸着器の作動される状態を示した作動状態図である。
【図５】本発明の真空吸着器の作動される状態を示した作動状態図である。
【図６】本発明の真空吸着器の作動される状態を平面で示した作動状態図である。
【図７】本発明の真空吸着器の作動される状態を平面で示した作動状態図である。
【図８】本発明の真空吸着器の吸着板が付着面に付着される前の状態を示した断面図である。
【図９】本発明の真空吸着器の吸着板が付着面に付着された状態を示した断面図である。
【発明を実施するための形態】
【００２８】
以下、本発明による真空吸着器は添付された図１〜図９を参照してより具体的に説明すれば次の通りである。 
【００２９】
本発明は硝子やタイルなどのように滑らかな表面、または扁平な平面、即ち、付着面ａに手拭きやタオル及びペーパーなど多様な物を吊り下げたり、掛けて置くことができるように、上記付着面ａに真空吸着方式で付着される真空吸着器１００に関する。 
【００３０】
上記真空吸着器１００は、図１〜図３に示したように、上記真空吸着器１００の上部側に位置されて、回転可能に設置される蓋１０と、上記蓋１０の下部内側に位置されるように設置されて、上記真空吸着器１００を付着面ａに付着するように、上記付着面ａに真空吸着される吸着板３０と、上記蓋１０の下部内側に位置されるとともに、上記吸着板３０に結合されるように、上記蓋１０と吸着板３０との間に設置されて、上記蓋１０の回転によって付着面ａ側に往復移動し、同時に、上記吸着板３０が付着面ａに真空吸着及び分離可能に設置する高さ調節部材２０とで大きく構成されている。 
【００３１】
上記蓋１０は、図１及び図２に示したように、上記蓋１０の中央部にはホルダー(図示しない)の一側が挿入される挿入孔１１が貫通されている。 
【００３２】
上記挿入孔１１の外側位置である上記蓋１０の内面には、上記蓋１０と吸着板３０とを互いに連結結合するように上記挿入孔１１を中心にして複数の回転突部１２が放射状に突出して形成され、上記各回転突部１２の端部には後述する吸着板３０の係止溝部に挿入されて固定されるフック１２１が形成されている。 
【００３３】
上記蓋１０の内周面には、後述する高さ調節部材２０の側板２２の上面に沿って移動し、ストッパ２２１に接触された状態で固定溝部２２３に挿入固定されて上記蓋１０の回転範囲を決める複数の係止突部１３が突出して形成されている。 
【００３４】
そして、上記蓋１０の内側上面には蓋１０の下方側に突出される形態である複数の固定片１４が形成されており、上記各固定片１４は後述する弾性係止片２３の数と同一に形成されている。 
【００３５】
上記各固定片１４は図２のように、「Ｖ」字状に折り曲げて形成され、上記各固定片１４の折り曲げられた外面は後述する弾性係止片２３の屈曲面２３３と接触面積を広げながら、上記屈曲面２３３に沿って固定片１４が滑らかで且つ円滑に摺動するようにラウンド状に形成されている。 
【００３６】
一方、上記高さ調節部材２０は、図２及び図３に示したように、上記高さ調節部材２０の底部側に位置する円環枠状の底板２１と、上記底板２１の外側上面に形成される側板２２とからなっている。 
【００３７】
上記底板２１には、上記高さ調節部材２０と吸着板３０とを結合するように、後述する吸着板３０の各結合突起３４が挿入されて結合される複数の結合孔２１ａが形成されている。 
【００３８】
上記側板２２の上面には、上記蓋１０が所定範囲内のみで回転されるように、上記蓋１０の各係止突部１３と接触される複数のストッパ２２１が突出して形成されており、上記各ストッパ２２１の間には上記蓋１０の各係止突部１３の底面が接触され、上記各係止突部１３がスライドされながら高さ調節部材２０を吸着板３０側に押すように所定角度に傾斜した傾斜面２２２がそれぞれ形成されており、上記各傾斜面２２２の一端には、各傾斜面２２２がスライドされて各ストッパ２２１の一面に接触される各係止突部１３の底面が挿入固定される固定溝部２２３が形成されている。 
【００３９】
上記高さ調節部材２０が蓋１０に連結された吸着板３０を中心軸３１方向に引いて上記吸着板３０の中央部が持ち上げられながら、上記吸着板３０が付着面ａに付着されるようにするか、または上記吸着板３０が付着面ａから分離されるようにするために、上記傾斜面２２２の一側面から他側面に行くほど所定角度に上方へ漸次に傾斜するように形成されている。 
【００４０】
ここで、上記高さ調節部材２０の内側には、上記蓋１０の各固定片１４とそれぞれ接触され、上記各固定片１４が接触された状態で摺動可能にするとともに、上記蓋１０が逆回転すること、即ち、上記蓋１０を固定するために、上記摺動する各固定片１４が端部側にそれぞれ当接して所定弾性力を有する複数の弾性係止片２３が結合されている。 
【００４１】
上記各弾性係止片２３は、図２及び図３に示したように、上記各弾性係止片２３の一面は自由端状態に形成されており、上記各弾性係止片２３の他面は上記各弾性係止片２３の高さ調節部材２０に堅固に結合固定されるように、上記高さ調節部材２０の底板２１と側板２２に同時結合されている。 
【００４２】
即ち、上記各弾性係止片２３の一面には、上記高さ調節部材２０の高さを調節して上記吸着板３０の外周面は付着面ａに密着されるようにすると同時に、吸着板３０の中央部は持ち上げられながら真空状態を形成して、上記真空吸着器１００の吸着板３０を付着面ａに付着するために回転する蓋１０の各固定片１４が当接して固定されるようにする所定角度に折り曲げられた折曲面２３１が形成されており、上記各弾性係止片２３の他方には、上記高さ調節部材２０と各弾性係止片２３との結合力を高めるために、上記高さ調節部材２０の底板２１と側板２２に結合される結合部２３２が形成されており、上記結合部２３２は一つ以上形成することができる。 
【００４３】
また、上記各弾性係止片２３の一面と他面との間、即ち、折曲面２３１と結合部２３２との間には、各固定片１４によって所定弾性を有する各弾性係止片２３が外方に押されてから上記各固定片１４が折曲面２３１に位置すると、各弾性係止片２３が原位置に復帰されるように、上記各固定片１４が接触された状態で摺動可能にする屈曲面２３３が所定角度に屈曲形成されている。 
【００４４】
上記吸着板３０は、図２及び図３に示したように、上記吸着板３０の中央部の上面には、横方向に立てられる形態の中心軸３１が形成されており、上記中心軸３１には、ホルダーが熱融着及び超音波融着などの方式で結合されるように、上記ホルダーの一側が挿入される結合溝３２が形成されている。 
【００４５】
上記中心軸３１の外周面の所定位置には、上記蓋１０の各回転突部１２の端部に形成されたフック１２１が挿入されて固定される係止溝部３３が上記中心軸３１の外周面に沿って形成されている。 
【００４６】
上記吸着板３０の上面には、高さ調節部材２０と吸着板３０とを互いに連結及び結合するために、上記高さ調節部材２０の各結合孔２１ａに挿入固定される複数の結合突起３４が形成されており、上記吸着板３０の外周面には、上記付着面ａに吸着された吸着板３０を取り外すようにする舌片３５が形成されている。 
【００４７】
このように構成された本発明の作用について説明すれば次の通りである。 
【００４８】
まず、 吸着板３０の上部に高さ調節部材２０が位置された状態で上記高さ調節部材２０の底板２１に形成された各結合孔２１ａに上記吸着板３０の結合突起３４がそれぞれ挿入して、上記高さ調節部材２０と吸着板３０とを結合する。 
【００４９】
その後、上記高さ調節部材２０が結合された吸着板３０を蓋１０の下方に位置させた状態で、上記蓋１０の各回転突部１２の端部にそれぞれ形成されたフック１２１を上記吸着板３０の中心軸３１の外周面に形成された係止溝部３３内にそれぞれ挿入して、上記蓋１０に吸着板３０を結合することによって真空吸着器１００の製作が完了される。 
【００５０】
この時、上記蓋１０の各係止突部１３の底面は上記高さ調節部材２０の側板２２に形成された傾斜面２２２と接触され、上記蓋１０の各固定片１４は高さ調節部材２０に結合された各弾性係止片２３の屈曲面２３３と接触される。 
【００５１】
そして、上記吸着板３０の中心軸３１に形成された結合溝３２内に手拭きやタオル及びペーパーなど多様な物を吊り下げたり、掛けて置くことができるようにするホルダー(図示しない)の一側を挿入して、熱融着及び超音波融着などの方式でホルダーを結合する。 
【００５２】
上記真空吸着器１００が製作された初期状態は図４及び図６のような形態に位置されてから、図８のように、上記真空吸着器１００を付着面ａに位置させた状態で、真空吸着器１００を付着面ａに付着して結合する。 
【００５３】
上記真空吸着器１００を付着面ａに付着結合する状態を説明すれば、上記真空吸着器１００の蓋１０を図面(図４及び図６)のように時計回りに回転させると、上記蓋１０の各係止突部１３は上記高さ調節部材２０の側板２２の上面に形成された傾斜面２２２に沿って摺動し、上記各係止突部１３は上記傾斜面２２２の両側に形成されたストッパ２２１ 内のみで移動可能にすることによって、上記蓋１０の回転範囲は各ストッパ２２１内に限定される。 
【００５４】
これと同時に、上記高さ調節部材２０の底板２１と側板２２に結合された弾性係止片２３の折曲面２３１と結合部２３２との間に形成された折曲面２３３に沿って、上記蓋１０の各固定片１４が摺動し、これによって上記蓋１０は付着面ａ側から漸次に離隔される。 
【００５５】
それから、上記各係止突部１３の底部が側板２２の固定溝部２２３に挿入されるとともに、上記各固定片１４が弾性係止片２３の折曲面２３１に位置して当接するようになると、上記高さ調節部材２０によって吸着板３０の外周面は付着面ａ側に強く押すようになる。 
【００５６】
それによって、上記吸着板３０の外周面は付着面ａに密着されるとともに、上記蓋１０は高さ調節部材２０に形成された傾斜面２２２の段差だけ付着面と離隔され、上記蓋１０に連結された吸着板３０の中央部は持ち上げられながら、上記吸着板３０の中央部と付着面ａとの間は所定間隔に離隔されて真空状態が形成されるとともに、真空状態を持続的に保持するようになる。 
【００５７】
従って、上記付着面ａと吸着板３０との間には強い吸着力が保持されることによって、上記吸着板３０は付着面ａに真空吸着されて上記真空吸着器１００が付着され(図９)、上記真空吸着器１００に結合されたホルダーに手拭きやタオル及びペーパーなど多様な物を吊り下げたり、掛けて置けば良い。 
【００５８】
一方、上記真空吸着器１００を付着面ａから分離しようとする時には、図５及び図７のように、上記蓋１０を図面上の反時計回りに回転させて、上記高さ調節部材２０の側板２２に形成された傾斜面２２２の各固定溝部２２３から各係止突部１３を脱去させるとともに、上記各弾性係止片２３の折曲面２３１に掛けられて固定された各固定片１４を折曲面２３１から離脱させるようにする。 
【００５９】
この時、上記各固定片１４を弾性係止片２３の各折曲面２３１から離脱させると、弾性係止片２３の弾性復元力によって各固定片１４が最初組み立て状態の位置まで自動に移動されながら、蓋１０も最初地点である原位置に復帰、即ち、回転する蓋１０によって各係止突部１３の底部は、各固定溝部２２３から脱去されて、弾性係止片２３の弾性復元力によって傾斜面２２２に沿って移動しながら最初地点に移動されると同時に、上記各弾性係止片２３の折曲面２３１に掛けられていた各固定片１４は、折曲面２３１から抜け出して、屈曲面２３３に沿って移動しながら自動的に最初地点に移動される。 
【００６０】
そこで、上記高さ調節部材２０の弾性係止片２３の弾性復元力によって、蓋１０の固定片１４が最初地点である原位置に復帰されながら、蓋１０と連結された吸着板３０の中央部が付着面ａ側に移動されて、真空吸着された吸着板３０は付着面ａの間の真空状態が解除、即ち、上記吸着板３０の中央部が図８に示したように扁平になりながら真空状態が解除される。 
【００６１】
この状態で、上記吸着板３０の舌片３５を引くと、上記吸着板３０と付着面ａとの間に外部の空気が流入されることによって、上記付着面ａに真空吸着された吸着板３０は分離されるので、上記真空吸着器１００は付着面ａから落ちるようになる。 
【００６２】
上述したように、上記真空吸着器１００の蓋１０を図面上の時計回りと反時計回りに回転させると、上記係止突部１３と傾斜面２２２、及び、各固定片１４と弾性係止片２３によって蓋１０に連結された吸着板３０の中央部が付着面ａ側を往復移動しながら、上記付着面ａに吸着板２０を真空吸着又は分離されるようにすることによって、上記真空吸着器１００は硝子やタオルなどのような滑らかな表面または面が扁平な平面、即ち、付着面ａに付着及び分離される。 
【００６３】
このように、本発明による上記真空吸着器は、例示された図面を参照して説明したが、本明細書に記載された実施列及び図面によって本発明が限定されるのではなく、その発明の技術範囲内で、当業者によって多様な変形が可能であり、本発明の技術的思想や見込みから個別的に理解されてはならない。
【符号の説明】
【００６４】
１０：蓋 
１１：挿入孔
１２：回転突部
１３：係止突部 
１４：固定片
２０：高さ調節部材 
２１：底板
２１ａ：結合孔 
２２：側板
２３：弾性係止片 
３０：吸着板
３１：中心軸 
３２：結合溝
３３：係止溝部 
３４：結合突起
３５：舌片 
１００：真空吸着器
１２１：フック 
２２１：ストッパ
２２２：傾斜面 
２２３：固定溝部
２３１：折曲面 
２３２：結合部
２３３：屈曲面
【図１】
0005849097.tif 000002
【図２】
0005849097.tif 000003
【図３】
0005849097.tif 000004
【図４】
0005849097.tif 000005
【図５】
0005849097.tif 000006
【図６】
0005849097.tif 000007
【図７】
0005849097.tif 000008
【図８】
0005849097.tif 000009
【図９】
0005849097.tif 000010